(57)【要約】【課題】携帯端末装置の移動速度と位置登録エリアサイズとを考慮して適切なエリアサイズを持つ位置登録エリアに切り替え得るようにする。【解決手段】携帯端末装置１００は、移動速度を検出する速度検出部１０５と、位置登録エリアサイズを格納する位置登録エリア格納部１０４と、検出された移動速度と閾値または位置登録頻度との大小関係から移動速度に合致したエリアサイズを持つ位置登録エリアを選択する位置登録エリア選択部１０６を備え、その位置登録エリア選択部１０６にて選択された位置登録エリアへの切り替え指示を制御部１０３に与える位置登録エリア切り替え部１０７とを具備する。【選択図】      図１
2004282234.tif 000002
【特許請求の範囲】
【請求項１】
各位置登録エリアのエリアサイズを格納する位置登録エリア格納手段と、当該携帯端末装置の移動速度を検出する速度検出手段と、前記速度検出手段によって検出された移動速度と前記位置登録エリア格納手段に格納される位置登録エリアのエリアサイズに対して定められる所定の閾値又は位置登録頻度との大小関係から移動速度に合致したエリアサイズを持つ位置登録エリアを選択する位置登録エリア選択手段と、前記選択されたエリアサイズを持つ位置登録エリアへの切り替えを実施する位置登録切り替え手段と、を具備することを特徴とする携帯端末装置。
【請求項２】
前記位置登録切り替え手段は、前記選択されたエリアサイズを持つ位置登録エリアが現在通信を行っている移動体通信システムと異なる場合に、前記選択されたエリアサイズの位置登録エリアを持つ移動体通信システムへの切り替えを実施することを特徴とする請求項１記載の携帯端末装置。
【発明の詳細な説明】
【０００１】
【発明の属する技術分野】
本発明は、複数の移動体通信システムとの通信を行うことが可能な携帯端末装置に関するものである。
【０００２】
【従来の技術】
移動体通信システムでは、ＰＤＣ方式、Ｗ−ＣＤＭＡ方式、ＰＨＳ方式等の各種通信方式が運用されており、それぞれに異なった特徴をもっている。
【０００３】
例えば、ＰＨＳ方式は、セルの面積は狭いが、単位面積当たりの使用可能な端末数を多く取れるので、周波数の利用効率が高い利点を有する。しかしながら、１つの位置登録エリアのエリアサイズが小さいので、速い移動速度で通信を行うと、携帯端末装置が、位置登録を行う回数が頻繁になるという欠点がある。
【０００４】
また、例えば、Ｗ−ＣＤＭＡ方式は、セルの面積が広いので、広い範囲を高速で移動しながらの使用が可能となる。また、位置登録エリアのエリアサイズが大きいので、高速で移動した場合でも、携帯端末装置が位置登録を行う回数は、比較的少なくて済む。
【０００５】
そこで、従来では、複数の移動体通信システムとの通信を行うことが可能な携帯端末装置が提案されている（例えば、特許文献１，２）。
【０００６】
即ち、特許文献１では、携帯端末装置の移動速度を検出する移動速度検出手段と、移動速度検出手段の検出した移動速度情報に基づいて、マイクロセル基地局とマクロセル基地局とのどちらへ位置登録すべきかを判断する位置登録先決定手段とを具備し、携帯端末装置の移動速度によって、マイクロセル基地局とマクロセル基地局とを切り替えることができる携帯端末装置が開示されている。
【０００７】
以下、図５を参照して、その概要を説明する。図５は、複数の移動体通信システムとの通信を行うことが可能な従来の携帯端末装置の構成例を示すブロック図である。
【０００８】
図５に示す携帯端末装置５００は、マクロセル基地局及びマイクロセル基地局とデータの無線授受を行うアンテナ５０１と、マクロセルシステムの入出力データの変調・復調を行い、アンテナ５０１を用いてマクロセル基地局とデータの送受信を行うマクロセルシステム送受信部５０２と、マクロセルシステムとの入出力データを制御するマクロセルシステム制御部５０３と、マイクロセルシステムの入出力データの変調・復調を行い、アンテナ５０１を用いてマイクロセル基地局とデータの送受信を行うマイクロセルシステム送受信部５０４と、マイクロセルシステムとの入出力データを制御するマイクロセルシステム制御部５０５と、携帯端末装置５００の移動速度を検出する速度検出部５０６と、検出された移動速度によってシステムを選択するシステム選択部５０７にて選択されたシステムへの切り替えを行うシステム切り替え部５０８とによって構成されている。
【０００９】
以上の構成において、周期的に速度検出部５０６によって移動速度が検出されると、検出された移動速度に応じてシステム選択部５０７がマイクロセルシステムとマクロセルシステムのいずれか一方を選択する。
【００１０】
システム選択部５０７がマクロセルシステムを選択した場合、システム切り替え部５０８は、その旨をマクロセルシステム制御部５０３に通知する。これに応答してマクロセルシステム制御部５０３は、マクロセルシステム送受信部５０２を制御してマクロセルシステムのセルに情報を通知する。この通知により、マクロセルシステムのセルと接続される。マクロセルシステムとの通信は、マクロセルシステム送受信部５０２を用いて行われる。
【００１１】
また、システム選択部５０７がマイクロセルシステムを選択した場合、システム切り替え部５０８は、その旨をマイクロセルシステム制御部５０５に通知する。これに応答してマイクロセルシステム制御部５０５は、マイクロセルシステム送受信部５０４を制御してマイクロセルシステムのセルに情報を通知する。この通知により、マイクロセルシステムのセルと接続される。マイクロセルシステムとの通信は、マイクロセルシステム送受信部５０４を用いて行われる。
【００１２】
また、特許文献２では、受信レベルの変動履歴及びハンドオーバ回数に基づいて携帯端末装置の移動速度を検出し、その検出した移動速度に基づいてＰＨＳ方式及びＰＤＣ方式の一方を選択する携帯端末装置が開示されている。
【００１３】
【特許文献１】
特開平９−５１５７１号公報（００２８〜００３７、図１）
【特許文献２】
特開２００２−１９０７６９号公報（００３６〜００４４、図１）
【００１４】
【発明が解決しようとする課題】
しかしながら、従来の携帯端末装置では、位置登録エリアサイズに関係なく、移動体通信システムの切り替えを行うので、高速で移動する場合でも、位置登録エリアサイズの小さい移動体通信システムに切り替える可能性があり、移動体通信システム全体での携帯端末収容率を拡大することができないという問題があった。また、頻繁に位置登録エリアに位置登録情報を送信することにより電力を過剰に消費してしまうという問題があった。
【００１５】
本発明は、かかる点に鑑みてなされたものであり、携帯端末装置の移動速度と位置登録エリアのエリアサイズとを考慮して、適切なエリアサイズを持つ位置登録エリアに切り替えることのできる携帯端末装置を提供することを目的とする。
【００１６】
【課題を解決するための手段】
本発明の携帯端末装置は、各位置登録エリアのエリアサイズを格納する位置登録エリア格納手段と、当該携帯端末装置の移動速度を検出する速度検出手段と、前記速度検出手段によって検出された移動速度と前記位置登録エリア格納手段に格納される位置登録エリアのエリアサイズに対して定められる所定の閾値又は位置登録頻度との大小関係から移動速度に合致したエリアサイズを持つ位置登録エリアを選択する位置登録エリア選択手段と、前記選択されたエリアサイズを持つ位置登録エリアへの切り替えを実施する位置登録切り替え手段と、を具備する構成を採る。
【００１７】
この構成によれば、移動速度が高速な場合は、広いエリアサイズの位置登録エリアに切り替わるので、携帯端末装置が位置登録エリアに位置登録を行う回数が減少し、携帯端末装置の消費電力を減少させることができる。また、移動速度が低速な場合は、狭いエリアサイズの位置登録エリアに切り替わるので、システム全体において、携帯端末収容率が拡大する。
【００１８】
また、本発明の携帯端末装置は、上記の発明において、前記位置登録切り替え手段は、前記選択されたエリアサイズを持つ位置登録エリアが現在通信を行っている移動体通信システムと異なる場合に、前記選択されたエリアサイズの位置登録エリアを持つ移動体通信システムへの切り替えを実施する構成を採る。
【００１９】
この構成によれば、現在通信を行っている移動体通信システムと異なった移動体通信システムの位置登録エリアを選択した場合においても、移動体通信システムの切り替えを行うことができるので、速い速度に適した位置登録エリアに切り替えることができる。
【００２０】
【発明の実施の形態】
本発明の骨子は、移動速度が低速な場合には、エリアサイズの小さい位置登録エリアに収容し、移動速度が高速な場合には、エリアサイズの大きい位置登録エリアに収容することによって、１つの位置登録エリアに携帯端末装置が偏って収容されることを防ぎ、移動通信システム全体での携帯端末収容率を拡大することである。
【００２１】
以下、本発明の実施の形態について、図面を参照して詳細に説明する。
【００２２】
（実施の形態１）
図１は、本発明の実施の形態１に係る携帯端末装置の構成を示すブロック図である。図１に示す携帯端末装置１００は、セルの基地局とデータの無線授受を行うアンテナ１０１と、アンテナ１０１で無線授受するデータの変調・復調を行う送受信部１０２と、入出力データの制御を行う制御部１０３と、制御部１０３が入力データから抽出した各位置登録エリアのエリアサイズを格納する位置登録エリア格納部１０４と、携帯端末装置１００の移動速度を検出する速度検出部１０５と、位置登録エリアのエリアサイズと移動速度とに基づき通信を行う位置登録エリアを判断する位置登録エリア選択部１０６を備え、その位置登録エリア選択部１０６にて選択された位置登録エリアへの切り替えを行う指示を制御部１０３に与える位置登録エリア切り替え部１０７とで構成されている。
【００２３】
ここで、速度検出部１０５は、本実施の形態１では、例えば、受信信号のフェージング周期を測定し、そのフェージング周期情報から移動速度を推定するように構成されている。セルから送信された電波の受信レベルは、携帯端末装置１００が移動している場合は、移動速度に応じた周期でフェージングすることが知られている。この原理を用いて携帯端末装置１００の移動速度を検出する。
【００２４】
なお、速度検出部１０５は、上記の構成の他、一定時間に切り替わるセルの数から携帯端末装置の移動速度を求めるように構成しても良く、また、車載パルス信号を利用して移動速度を検出する手段や、ＧＰＳを利用して移動速度を検出する手段を用いて構成しても良いことは勿論である。
【００２５】
次に、図１と図２を参照して、以上のように構成される携帯端末装置１００の動作について説明する。なお、図２は、携帯端末装置１００にて実施される位置登録エリアの選択方法を説明する図である。
【００２６】
図１において、速度検出部１０５は、携帯端末装置１００の電源投入後、一定の周期で携帯端末装置１００の移動速度を検出し、その検出した移動速度を逐一位置登録エリア切り替え部１０７に出力する。
【００２７】
それぞれの移動体通信システムの各セルは、セル内の携帯端末装置との相互の接続を制御するための情報に自分が所属する位置登録エリアの情報を含めて放送している。携帯端末装置１００は、電源が投入されると、セルが放送している各種の情報を受信する。この情報は、アンテナ１０１にて受信され、送受信部１０２にて復調され、制御部１０３に送られる。
【００２８】
制御部１０３は、入力された情報から各移動体通信システムの各セルが属する位置登録エリアの大きさを抽出し、位置登録エリア格納部１０４に格納する。位置登録エリア選択部１０６には、予め、位置登録エリアのエリアサイズ毎に移動速度Ｖに対する閾値Ｖ０が設定されている。
【００２９】
即ち、位置登録エリア選択部１０６は、速度検出部１０５から検出された移動速度Ｖが入力される度に、エリアサイズ毎に定められる閾値Ｖ０と検出された移動速度Ｖとの大小関係を判断し、それに基づき位置登録エリア格納部１０４に格納される各移動体通信システムの位置登録エリアの中から移動速度Ｖに応じたエリアサイズを持つ適切な位置登録エリアを選択し、位置登録エリア切り替え部１０７に通知する。
【００３０】
位置登録エリア切り替え部１０７は、位置登録エリア選択部１０６が現在の位置登録エリアと異なる位置登録エリアを選択した場合に、制御部１０３に対し、位置登録エリアを位置登録エリア選択部１０６が選択した新しい位置登録エリアに切り替える指示を与える。
【００３１】
制御部１０３は、位置登録エリア切り替え部１０７からの指示に従い、位置登録エリア選択部１０６が選択した現在の位置登録エリアと異なる位置登録エリアと接続するための情報を生成する。生成された接続情報は、送受信部１０２にて変調され、アンテナ１０１から新しい位置登録エリアに送信され、新しい位置登録エリアとの通信が可能となる。
【００３２】
次に、図２を参照して、位置登録エリアの選択方法を説明する。まず、位置登録エリアサイズと携帯端末装置の移動速度との関係を説明する。なお、位置登録エリアとは、その移動通信システムにおいて複数のセルの領域を含み、携帯端末装置の位置を把握しているエリアのことである。
【００３３】
図２では、エリアサイズの異なる２つの位置登録エリアがあると仮定している。エリアサイズの大きい方が位置登録エリアＡであり、位置登録エリアＡａ，Ａｂ，Ａｃが示されている。エリアサイズの小さい方が位置登録エリアＢであり、位置登録エリアＢａ，Ｂｂ，Ｂｃ，Ｂｄ，Ｂｅ，Ｂｆが示されている。
【００３４】
携帯端末装置は、現在登録している位置登録エリアが変化すると、新しい位置登録エリアに登録するための位置登録情報を新しい位置登録エリアに送信する。例えば、現在位置が位置登録エリアＡａから位置登録エリアＡｂに変化した場合、携帯端末装置は、位置登録エリアＡｂに位置登録情報を送信する。
【００３５】
今、携帯端末装置は、位置登録エリアＡａと位置登録エリアＢａとに含まれており、図中矢印で示すように、移動速度Ｖで位置登録エリアＡｂに向かって進む場合を考える。この進行方向には、位置登録エリアＢａ，Ｂｂ，Ｂｃが存在している。
【００３６】
携帯端末装置は、位置登録エリアＡａと通信しつつ移動速度Ｖで位置登録エリアＡｂに向かって距離Ｌ進むと、位置登録エリアが位置登録エリアＡａから位置登録エリアＡｂに切り替わるので、位置登録エリアＡｂに位置登録情報を送信する。
【００３７】
一方、携帯端末装置は、位置登録エリアＢａと通信しつつ移動速度Ｖで位置登録エリアＡｂに向かって距離Ｌ進むと、位置登録エリアが、まず、位置登録エリアＢｂに切り替わるので、位置登録エリアＢｂに位置登録情報を送信する。
【００３８】
そして、携帯端末装置は、さらに移動速度Ｖで同一方向に進むと、位置登録エリアが位置登録エリアＢｃに切り替わるので、位置登録エリアＢｃに位置登録情報を送信する。
【００３９】
ここで、位置登録エリアＡと位置登録エリアＢとで位置登録エリアを切り替えた頻度を考える。距離Ｌを速度Ｖで進む時刻（Ｌ／Ｖ）では、位置登録エリアＡで通信を行っている場合は、１回のみ位置登録エリアが切り替わる。携帯端末装置は、１回のみ位置登録情報を送信する。
【００４０】
しかし、位置登録エリアＢで通信を行っている場合は、時刻（Ｌ／Ｖ）で、３回の位置登録エリアが切り替わる。携帯端末装置は、３回の位置登録情報を送信する。
【００４１】
このことから、移動速度が速い場合には、エリアサイズの大きい位置登録エリアに切り替えることにすれば、一定の時間内に位置登録エリアが切り替わる頻度が少なくなる。つまり、携帯端末装置が位置登録エリアに位置登録情報を送信する回数が減り、携帯端末装置の消費電力を減少させることができる。
【００４２】
一方、移動速度が遅い場合には、エリアサイズの小さい位置登録エリアと通信を行っても、移動速度が低速なので、位置登録エリアが切り替わる頻度は、少ない。つまり、移動速度が遅い場合には、エリアサイズの小さい位置登録エリアに切り替えることにする。
【００４３】
このように、移動速度が低速の場合には、エリアサイズの小さい位置登録エリアに収容し、高速の場合には、エリアサイズの大きい位置登録エリアに収容できれば、１つの位置登録エリアに携帯端末装置が偏って収容されることを防ぐことができ、システム全体での携帯端末収容率を拡大することができる。
【００４４】
そこで、本発明では、位置登録エリア選択部１０６に、予め、携帯端末装置１００の移動速度Ｖに対する閾値Ｖ０を設定し、検出された移動速度Ｖと閾値Ｖ０との大小関係から適切なエリアサイズの位置登録エリアが選択できるようにしている。以下、具体的に説明する。
【００４５】
上記のように、携帯端末装置１００は、位置登録エリアＡａと位置登録エリアＢａとに含まれており、移動速度Ｖで位置登録エリアＡｂに向かって進む場合を考える。
【００４６】
検出された移動速度Ｖに対し、閾値Ｖ０がＶ０＜Ｖである場合は、位置登録エリア選択部１０６は、エリアサイズの大きい位置登録エリアと通信を行うと決定する。すなわち、図２の例で言えば、エリアサイズの大きい位置登録エリアＡａと通信を行うことを決定する。
【００４７】
一方、検出された移動速度Ｖに対し、閾値Ｖ０がＶ０＞Ｖである場合は、位置登録エリア選択部１０６は、エリアサイズの小さい位置登録エリアと通信を行うと決定する。すなわち、図２の例で言えば、エリアサイズの小さい位置登録エリアＢａと通信を行うと決定する。
【００４８】
位置登録エリア切り替え部１０７は、この決定を受けて、現在の位置登録エリアと異なる位置登録エリアが選択された場合に、制御部１０３に対し、位置登録エリアを位置登録エリア選択部１０６が選択した新しい位置登録エリアに切り替える指示を出す。
【００４９】
例えば、位置登録エリアが、位置登録エリアＡａから位置登録エリアＢａに切り替わる場合には、位置登録エリア切り替え部１０７は、制御部１０３に対し位置登録エリアＢａに切り替える指示を出す。これによって、位置登録エリアＢａとの通信が可能になる。
【００５０】
以上のように、本発明の実施の形態１に係る携帯端末装置によれば、携帯端末装置の移動速度が閾値よりも速い場合には大きなエリアサイズの位置登録エリアに切り替えることができ、携帯端末装置の移動速度が閾値よりも遅い場合には小さいエリアサイズの位置登録エリアに切り替えることができる。
【００５１】
これによって、移動速度が速い場合には、エリアサイズの大きい位置登録エリアと通信を行うことができるので、携帯端末装置が位置登録エリアに位置登録情報を送信する回数が減少し、携帯端末装置の消費電力を減少させることができる。
【００５２】
また、移動速度が遅い場合には、エリアサイズの小さい位置登録エリアに切り替えることができるので、エリアサイズの大きい位置登録エリアにのみ携帯端末装置が収容されることがなく、システム全体を考えると携帯端末装置の収容率を拡大することができる。
【００５３】
（実施の形態２）
図３は、本発明の実施の形態２に係る携帯端末装置の構成を示すブロック図である。図３では、システムＡとシステムＢの２つの移動体通信システムを併用する携帯端末装置の構成例が示されている。
【００５４】
即ち、図３に示す携帯端末装置３００は、システムＡ及びシステムＢの基地局とデータの無線授受を行うアンテナ３０１と、システムＡの入出力データの変調・復調を行い、アンテナ３０１を用いてシステムＡの基地局とデータの送受信を行うシステムＡ送受信部３０２と、システムＡの入出力データを制御するシステムＡ制御部３０３と、システムＢの入出力データを変調・復調を行い、アンテナ３０１を用いてシステムＢの基地局とデータの送受信を行うシステムＢ送受信部３０４と、システムＢの入出力データを制御するシステムＢ制御部３０５と、システムＡ制御部３０３及びシステムＢ制御部３０５がその入力データから抽出した各システムの位置登録エリアサイズを格納する位置登録エリア格納部３０６と、携帯端末装置３００の移動速度を検出する速度検出部３０７と、位置登録エリアのエリアサイズと移動速度とに基づき通信を行うシステムの位置登録エリアを判断する位置登録エリア選択部３０８を備え、その位置登録エリア選択部３０８にて選択された位置登録エリアへの切り替えを行う指示をシステムＡ制御部３０３とシステムＢ制御部３０５の対応するシステム制御部に与える位置登録エリア切り替え部３０９とで構成されている。
【００５５】
ここで、速度検出部３０７は、本実施の形態２では、例えば、受信信号のフェージング周期を測定し、そのフェージング周期情報から移動速度を推定するように構成されている。セルから送信された電波の受信レベルは、携帯端末装置３００が移動している場合は、移動速度に応じた周期でフェージングすることが知られている。この原理を用いて携帯端末装置３００の移動速度を検出する。
【００５６】
なお、速度検出部３０７は、上記の構成の他、一定時間に切り替わるセルの数から携帯端末装置の移動速度を求めるように構成しても良く、また、車載パルス信号を利用して移動速度を検出する手段や、ＧＰＳを利用して移動速度を検出する手段を用いて構成しても良いことは勿論である。
【００５７】
次に、図３と図４を参照して、以上のように構成される携帯端末装置３００の動作について説明する。なお、図４は、携帯端末装置３００にて実施される位置登録エリアサイズの選択方法を説明する図である。
【００５８】
図３において、速度検出部３０７は、携帯端末装置３００の電源投入後、一定の周期で携帯端末装置３００の移動速度を検出し、その検出した移動速度を逐一位置登録エリア切り替え部３０９に出力する。
【００５９】
それぞれの移動体通信システムの各セルは、セル内の携帯端末装置との相互の接続を制御するための情報に自分が所属する位置登録エリアの情報を含めて放送している。携帯端末装置３００は、電源が投入されると、セルが放送している各種の情報を受信する。この情報は、アンテナ３０１にて受信され、システムＡ送受信部３０２とシステムＢ送受信部３０４とに入力される。
【００６０】
システムＡがユーザによって選択された場合は、システムＡ送受信部３０２にて復調されたデータがシステムＡ制御部３０３に送られる。また、システムＢがユーザによって選択された場合は、システムＢ送受信部３０４にて復調されたデータがシステムＢ制御部３０５に送られる。
【００６１】
システムＡ制御部３０３及びシステムＢ制御部３０５は、入力された情報から各移動体通信システムの各セルが属する位置登録エリアの大きさを抽出し、位置登録エリア格納部３０６に格納する。位置登録エリア選択部３０７には、予め、位置登録エリアのエリアサイズ毎に移動速度Ｖに対する閾値Ｖ０が設定されている。
【００６２】
即ち、位置登録エリア選択部３０８は、速度検出部３０７から検出された移動速度Ｖが入力される度に、エリアサイズ毎に定められる閾値Ｖ０と検出された移動速度Ｖとの大小関係を判断し、それに基づき位置登録エリア格納部３０６に格納される各移動体通信システムの位置登録エリアの中から移動速度Ｖに応じたエリアサイズを持つ適切な位置登録エリアを選択し、位置登録エリア切り替え部３０９に通知する。
【００６３】
位置登録エリア切り替え部３０９は、位置登録エリア選択部３０８が現在の位置登録エリアと異なるシステムの位置登録エリアを選択した場合に、システムＡ制御部３０３及びシステムＢ制御部３０５の対応するシステム制御部に対し、位置登録エリアを位置登録エリア選択部３０８が選択した新しい位置登録エリアに切り替える指示を与える。
【００６４】
システムＡ制御部３０３及びシステムＢ制御部３０５は、位置登録エリア切り替え部３０９からの指示に従い、位置登録エリア選択部３０８が選択した現在の位置登録エリアと異なる位置登録エリアと接続するための情報を生成する。生成された接続情報は、システムＡ送受信部３０２及びシステムＢ送受信部３０４の対応するシステム送受信部にて変調され、アンテナ３０１から新しい位置登録エリアに送信され、新しい位置登録エリアとの通信が可能となる。
【００６５】
次に、図４を参照して、位置登録エリアの選択方法を説明する。図４では、システムＡとシステムＢの異なる２つの移動体通信システムが示されている。システムＡには、位置登録エリアＡａ，Ａｂ，Ａｃが存在するとしている。また、システムＢは、位置登録エリアの大きさがシステムＡのそれよりも小さい。図４では、位置登録エリアＡａ内に、位置登録エリアＢａ，Ｂｂ，Ｂｃ，Ｂｄ，Ｂｅ，Ｂｆが存在するとしている。
【００６６】
携帯端末装置Ｍ１は、システムＡの位置登録エリアＡａとシステムＢの位置登録エリアＢａとに含まれている。この状態で、携帯端末装置Ｍ１の移動速度Ｖが検出されると、位置登録エリア選択部３０８は、検出された移動速度Ｖと予め設定されている閾値Ｖ０との大小関係を判定する。
【００６７】
即ち、位置登録エリア選択部３０８は、Ｖ０＜Ｖの場合は、通信を行う位置登録エリアとしてエリアサイズの大きい位置登録エリアを選択し、Ｖ０＞Ｖの場合は、通信を行う位置登録エリアとして位置登録サイズの小さい位置登録エリアを選択し、位置登録エリア切り替え部３０９に通知する。
【００６８】
例えば、携帯端末装置Ｍ１は、現在位置登録エリアＢａと通信を行っているとし、移動速度Ｖが閾値Ｖ０を超えたと判断した場合は、エリアサイズの大きい位置登録エリアを選択する。図４の例で言えば、位置登録エリアＡａを選択する。
【００６９】
この場合、位置登録エリア切り替え部３０９は、選択された位置登録エリアが、現在通信を行っているシステムＢとは異なっているので、システムＡへの切り替えを行うと判断し、システムＡに切り替えを行うようにシステムＡ制御部３０３に通知する。
【００７０】
システムＡ制御部３０３は、システムＡでの接続を行うのに必要な接続情報を生成し、それをシステムＡ送受信部３０２に与え、アンテナ３０１からシステムＡのセルに向けて送信させ、システムＡとの通信を可能にする。
【００７１】
また、携帯端末装置Ｍ１が現在システムＡと通信を行っている場合に、システムＢの位置登録エリアが選択された場合も同様に、位置登録エリア切り替え部３０９は、システムＢに切り替えを行うようにシステムＢ制御部３０５に通知する。
【００７２】
システムＢ制御部３０５は、システムＢでの接続を行うのに必要な接続情報を生成し、それをシステムＢ送受信部３０４に与え、アンテナ３０１からシステムＢのセルに向けて送信させ、システムＢとの通信を可能にする。
【００７３】
以上のように、本発明の実施の形態２に係る携帯端末装置によれば、異なる大きさの位置登録エリアを持つ複数の移動体通信システムと通信を行うことが可能な携帯端末装置において、携帯端末装置の移動速度が閾値よりも速いとして選択した位置登録エリアが現在通信を行っている移動体通信システムとは異なる移動体通信システムの位置登録エリアであるときは、通信を行う移動体通信システムの切り替えが行えるようにしたので、速い移動速度に適した位置登録エリアを持つ移動体通信システムに切り替えることができる。
【００７４】
これにより、携帯端末装置の速度が速い場合には、携帯端末装置が位置登録エリアに位置登録情報を送信する回数が減少するので、携帯端末装置の消費電力を減少させることができる。
【００７５】
なお、実施の形態１，２では、移動速度に合致したエリアサイズを持つ位置登録エリアを、携帯端末装置の移動速度と閾値との大小関係から選択したが、この発明はこれに限定されるものではなく、その他、例えば携帯端末装置の移動速度と携帯端末装置が位置登録を行う位置登録頻度との大小関係から選択するようにしても良い。
【００７６】
【発明の効果】
以上のように、本発明によれば、携帯端末装置の移動速度と位置登録エリアのエリアサイズとを考慮して適切なエリアサイズを持つ位置登録エリアに切り替えることができる。
【図面の簡単な説明】
【図１】本発明の実施の形態１に係る携帯端末装置の構成を示すブロック図
【図２】図１に示す携帯端末装置にて実施される位置登録エリアの選択方法を説明する図
【図３】本発明の実施の形態２に係る携帯端末装置の構成を示すブロック図
【図４】図３に示す携帯端末装置にて実施される位置登録エリアの選択方法を説明する図
【図５】複数の移動体通信システムとの通信を行うことが可能な従来の携帯端末装置の構成例を示すブロック図
【符号の説明】
１００，３００  携帯端末装置
１０１，３０１  アンテナ
１０２  送受信部
１０３  制御部
１０４，３０６  位置登録エリア格納部
１０５，３０７  速度検出部
１０６，３０８  位置登録エリア選択部
１０７，３０９  位置登録エリア切り替え部
３０２  システムＡ送受信部
３０３  システムＡ制御部
３０４  システムＢ送受信部
３０５  システムＢ制御部
【図１】
2004282234.tif 000003
【図２】
2004282234.tif 000004
【図３】
2004282234.tif 000005
【図４】
2004282234.tif 000006
【図５】
2004282234.tif 000007